(57)【要約】【課題】簡単な構成で、側板の外表面全体に亘って防水・気密を図って内部の吸湿を抑制すると共に、外装シートを剥がれにくくする。【解決手段】第１シート２４は、第１の板状部材２３の第２面２３ｂの側から第１面２３ａの側に折り込まれるように板状部材２３を覆い、第２面２３ｂ、外側部２３ｃ及び第１面２３ａの外縁２３ａａ近傍の全周を覆うように板状部材２３に接着されて、シート付き半板材２１が製造される。シート付き半板材２２についても、第２シート２６、第２の板状部材２５によって同様に製造される。シート付き半板材２１の第１面２３ａの側の面とシート付き半板材２２の第１面２５ａの側の面とが対向状態で接着されて、板状部材２３、２５を合わせたもの全体が、シート２４、２６によってすっぽりと包まれて密閉状態となる。こうして１つの側板体２０が完成する。【選択図】図２
2010060983.tif 000002
【特許請求の範囲】
【請求項１】
鍵盤楽器の楽器本体を左右一対の側板体で支持する鍵盤楽器の脚体構造であって、
前記左右一対の各側板体は、
第１面、第２面、並びに、これら第１面及び第２面に連接する外側部を有する第１、第２の板状部材と、
遮水・遮気性のある第１、第２シートとを有し、
前記第１シートは、前記第１の板状部材の前記第２面の側から前記第１面の側に折り込まれるようにして前記第１の板状部材を覆い、前記第２面、前記外側部、及び、前記第１面の少なくとも外縁部の全周を覆うように前記第１の板状部材に接着され、
前記第２シートは、前記第２の板状部材の前記第２面の側から前記第１面の側に折り込まれるようにして前記第２の板状部材を覆い、前記第２面、前記外側部、及び、前記第１面の少なくとも外縁部の全周を覆うように前記第２の板状部材に接着され、
前記第１シートが接着された前記第１の板状部材の前記第１面と前記第２シートが接着された前記第２の板状部材の前記第１面とが対向状態で接着されて、前記第１シート及び前記第２シートにより前記第１、第２の板状部材の全体が包まれていることを特徴とする鍵盤楽器の脚体構造。
【請求項２】
前記第１の板状部材の前記第１面の側からみた外郭形状と前記第２の板状部材の前記第１面の側からみた外郭形状とは同一であることを特徴とする請求項１記載の鍵盤楽器の脚体構造。
【請求項３】
前記第１の板状部材と前記第２の板状部材とは同一構成であることを特徴とする請求項２記載の鍵盤楽器の脚体構造。
【発明の詳細な説明】
【技術分野】
【０００１】
本発明は、鍵盤楽器の楽器本体を支持する脚体が左右一対の側板を有する鍵盤楽器の脚体構造に関する。
【背景技術】
【０００２】
従来、鍵盤楽器本体を脚体で支持してなる鍵盤楽器が知られている。この種の鍵盤楽器における脚体構造において、パイプ状の脚部ではなく、左右一対の側板を採用したものが知られている（下記特許文献１、２）。
【０００３】
また、側板を採用したものにおいて、側板の外装として表面材を接着し、装飾や保護を図ったものも知られている（下記特許文献３）。
【特許文献１】実開昭５４−１４２１３号公報
【特許文献２】実開昭６０−１６９４９８号公報
【特許文献３】実開昭５０−６３０２３号公報
【発明の開示】
【発明が解決しようとする課題】
【０００４】
しかしながら、上記特許文献３のように、板状部材（側板部材）の表面に表面材を接着するものにおいても、板状部材の全体をすっぽりと覆うことは容易でなく、通常、主に目につく領域を主体に化粧材等の表面材が施される。そのため、内部の板状部材自体は外気に連通し、楽器の使用に伴い吸湿することになる。木質の板状部材は、吸湿すると、変形する傾向にあるため、吸湿しすぎるのは好ましくない。
【０００５】
また、板状部材の、表面材で保護されていな部分は防水機能がなく、そこに水等がかかると、汚れや変色、変質のおそれがあるため、なるべく保護範囲は広いのが好ましい。
【０００６】
さらに、表面材は、楽器の長年の使用により板状部材から剥がれることがあり、特に、表面材の端部から剥がれやすいという問題がある。
【０００７】
本発明は上記従来技術の問題を解決するためになされたものであり、その目的は、簡単な構成で、側板の外表面全体に亘って防水・気密を図って内部の吸湿を抑制すると共に、外装シートを剥がれにくくすることができる鍵盤楽器の脚体構造を提供することにある。
【課題を解決するための手段】
【０００８】
上記目的を達成するために本発明の請求項１の鍵盤楽器の脚体構造は、鍵盤楽器の楽器本体（１０）を左右一対の側板体で支持する鍵盤楽器の脚体構造であって、前記左右一対の各側板体（２０Ｌ、２０Ｒ）は、第１面（２３ａ、２５ａ）、第２面（２３ｂ、２５ｂ）、並びに、これら第１面及び第２面に連接する外側部（２３ｃ、２５ｃ）を有する第１、第２の板状部材（２３、２５）と、遮水・遮気性のある第１、第２シート（２４、２６）とを有し、前記第１シートは、前記第１の板状部材の前記第２面の側から前記第１面の側に折り込まれるようにして前記第１の板状部材を覆い、前記第２面、前記外側部、及び、前記第１面の少なくとも外縁部の全周を覆うように前記第１の板状部材に接着され、前記第２シートは、前記第２の板状部材の前記第２面の側から前記第１面の側に折り込まれるようにして前記第２の板状部材を覆い、前記第２面、前記外側部、及び、前記第１面の少なくとも外縁部の全周を覆うように前記第２の板状部材に接着され、前記第１シートが接着された前記第１の板状部材の前記第１面と前記第２シートが接着された前記第２の板状部材の前記第１面とが対向状態で接着されて、前記第１シート及び前記第２シートにより前記第１、第２の板状部材の全体が包まれていることを特徴とする。
【０００９】
好ましくは、前記第１の板状部材の前記第１面の側からみた外郭形状と前記第２の板状部材の前記第１面の側からみた外郭形状とは同一である（請求項２）。
【００１０】
好ましくは、前記第１の板状部材と前記第２の板状部材とは同一構成である（請求項３）。
【００１１】
なお、上記括弧内の符号は例示である。
【発明の効果】
【００１２】
本発明の請求項１によれば、簡単な構成で、側板体の外表面全体に亘って防水・気密を図って内部の吸湿を抑制すると共に、外装シートを剥がれにくくすることができる。
【００１３】
請求項２によれば、第１、第２の板状部材の外郭同士の位置を合わせて対向させれば、第１、第２シートの折り込み部分同士が対向して接着されるので、簡単な工程で側板体を気密状態にしやすく、製造を容易にすることができる。また、１枚の一体化した側板体として構成するのが容易である。
【００１４】
請求項３によれば、板状部材の共通化により工程を簡単にして製造を容易にすることができる。
【発明を実施するための最良の形態】
【００１５】
以下、本発明の実施の形態を図面を参照して説明する。
【００１６】
図１（ａ）は、本発明の一実施の形態に係る脚体構造が適用される鍵盤楽器の正面図、図１（ｂ）は同鍵盤楽器の背面図である。
【００１７】
この鍵盤楽器は、鍵盤楽器本体１０が、スタンド１に支持されてなる。鍵盤楽器本体１０は、複数の鍵からなる鍵盤部ＫＢを備える電子鍵盤楽器として構成される。以降、鍵盤楽器において、左右方向については、奏者側からみた正面視の方向を基準に呼称する。従って、図１（ａ）の左右方向が本鍵盤楽器の左右方向である。
【００１８】
スタンド１は、左右一対の側板体２０（２０Ｌ、２０Ｒ）と、これら側板体２０を連結して補強する機能を有する連結材である框１１とを組み付けて構成される。
【００１９】
側板体２０Ｌ、２０Ｒのそれぞれの内側面２０ａには、第１固定部材１３が設けられている。框１１の両端部が、左右の第１固定部材１３に螺着固定されている。両側板体２０の内側面２０ａの各上部と、鍵盤楽器本体１０の左端部１０ａ及び右端部１０ｂの各下面１０ｃとは、第２固定部材１２を介して螺着固定されている。第１固定部材１３、第２固定部材１２は、いずれも金属製でＬ字状に形成されている。
【００２０】
側板体２０Ｌ、２０Ｒを特に区別しないときは、単に「側板体２０」と記す。側板体２０Ｌ、２０Ｒは、左右対称であって、第１固定部材１３、第２固定部材１２が取り付けされる前の段階では、全く同一の構成である。第１固定部材１３、第２固定部材１２が取り付けされる前の側板体２０の構成及び製造方法を次に説明する。
【００２１】
図２は、１つの側板体２０の製造工程を模式的に示す斜視図である。側板体２０は、第１の板状部材２３、第２の板状部材２５、第１シート２４、第２シート２６で構成される。第１の板状部材２３と第２の板状部材２５とは、外郭形状も厚みも材質も同じであり、すなわち、全く同一構成の部材である。ただし、理解の便宜上、異なる符号を付して説明する。第１の板状部材２３、第２の板状部材２５の材質としては、例えば、木材や木質系材が採用されるが、これらに限られない。
【００２２】
第１シート２４と第２シート２６とは、外装となるシートであって、サイズや厚みは同一であるが、色のみが異なる。採用する色は問わないが、例えば、第１シート２４が黒色で第２シート２６が白色である。第１シート２４と第２シート２６のサイズは、第１の板状部材２３、第２の板状部材２５よりも十分に大きい。第１シート２４及び第２シート２６の材質は、遮水（防水性）及び遮気性があって、木質系材に対して接着容易な素材、例えば、塩化ビニルである。ただし、第１の板状部材２３、第２の板状部材２５に選定される材料に応じて定め、第１の板状部材２３、第２の板状部材２５に対して接着容易な素材を採用すればよい。第１シート２４及び第２シート２６の厚みは０．１ｍｍ程度である。
【００２３】
図１（ｂ）、図２に示すように、第１の板状部材２３は、第１面２３ａ、第２面２３ｂを有し、第２の板状部材２５は、第１面２５ａ、第２面２５ｂを有する。第１の板状部材２３において、第１面２３ａ及び第２面２３ｂに連接する外側部２３ｃが、第１の板状部材２３の前後及び上下の端面となる。第２の板状部材２５において、第１面２５ａ及び第２面２５ｂに連接する外側部２５ｃが、第２の板状部材２５の前後及び上下の端面となる。
【００２４】
図２に示すように、第１の板状部材２３、第２の板状部材２５を、第１シート２４、第２シート２６でそれぞれの第２面２３ｂ、第２面２５ｂの側から覆って接着したものが、シート付き半板材２１、２２である。シート付き半板材２１、２２の板状部材２３、２５の第１面２３ａ、２５ａ同士を対向させて接着して、側板体２０が構成される。
【００２５】
図２の下半部に示したシート付き半板材２２について説明すると、まず、第２の板状部材２５の第２面２５ｂ（図１（ｂ）参照）の側に、接着剤を塗布した第２シート２６を重ね、外側部２５ｃを覆いつつ第１面２５ａの側に折り込む。そして、例えば真空プレス法によって第２シート２６を第２の板状部材２５に対して接着する。これにより、第２シート２６が延びて、しわが寄ることなく密着する。あるいは、アイロン等により熱を加えながら接着する手法でもよく、それによれば、第２シート２６が延びて癖がつきやすく、第２の板状部材２５になじみやすくなる。
【００２６】
次に、第１面２５ａの面方向内側に延設状態になって接着された第２シート２６の縁部を、適当な長さにカッター等で切断する。例えば、図２に示すように、第１面２５ａと外側部２５ｃとの境界である外縁２５ａａから、所定長さ（数ｍｍ以上で、例えば、１ｃｍ）だけ内側の位置で切断し、除去する。これにより、第２シート２６の所定長さの折り返し部２６ａだけが第１面２５ａの外縁２５ａａ近傍の全周に亘って残る。
【００２７】
シート付き半板材２１についても全く同様に製造される。すなわち、第１シート２４は、第１の板状部材２３の第２面２３ｂの側から第１面２３ａ（図１（ｂ）参照）の側に折り込まれるようにして第１の板状部材２３を覆い、第２面２３ｂ、外側部２３ｃ及び第１面２３ａの外縁２３ａａ近傍の全周を覆うように第１の板状部材２３に接着される。第１の板状部材２３の第１面２３ａの側にも、上記折り返し部２６ａと同様の第１シート２４の折り返し部（図示せず）が外縁２３ａａ近傍の全周に亘って残る。
【００２８】
このようにして製造されたシート付き半板材２１の第１シート２４の第１面２３ａの側とシート付き半板材２２の第２シート２６の第１面２５ａの側とを対向させ、両者間に接着剤を塗布して接着する。これは、例えば、数ｋｇの荷重をかけたプレスを数十分程度継続することで行う。
【００２９】
これにより、第２の板状部材２５の第１面２５ａと第１の板状部材２３の第１面２３ａとが対向状態で接着される。それだけでなく、第２シート２６の折り返し部２６ａと、第１シート２４の図示しない同様の折り返し部とも対向して接着状態となる。従って、第１の板状部材２３と第２の板状部材２５とを合わせたもの全体が、第１シート２４及び第２シート２６によってすっぽりと包まれて密閉状態となる。こうして１つの側板体２０が完成する。
【００３０】
完成した側板体２０のうち、シート付き半板材２１の側の面が、側板体２０の内側面２０ａとなる（図１（ａ）、（ｂ）参照）。この内側面２０ａに対して、第１固定部材１３、第２固定部材１２が取り付けられる。この取り付けは、例えば、ネジによる螺合固定でなされる。従って、内側面２０ａには穴が形成されることになる。しかし、第１固定部材１３、第２固定部材１２と側板体２０の内側面２０ａとの螺合部分には、防水材を施すことで、シート２４、２６の内部の気密性を確保する。従って、第１固定部材１３、第２固定部材１２の取り付け部分を除けば、側板体２０は単体でも密閉状態であり、取り付け後でも、上記防水材の機能によって密閉状態が確保される。
【００３１】
そして、上述したように、第１固定部材１３、第２固定部材１２が取り付けられた側板体２０Ｌ、２０Ｒが、鍵盤楽器本体１０に螺着固定されると共に、框１１によって側板体２０Ｌ、２０Ｒ間が連結される。
【００３２】
ところで、鍵盤楽器本体１０において、前端面と後端面の各下部の配色が、他の部分と異なる色違い部１０ｄとなっている（図１（ａ）、（ｂ）参照）。この色違い部１０ｄの色は、側板体２０のうちシート付き半板材２１の色、すなわち、第１シート２４と一致させてある。しかも、色違い部１０ｄの左右両端位置は、シート付き半板材２１とシート付き半板材２２との境目と一致させてある。ちなみに、鍵盤楽器本体１０のうち色違い部１０ｄ以外の配色は、シート付き半板材２２と一致させてある。
【００３３】
これらにより、シート付き半板材２１と色違い部１０ｄとがあたかも連続した部材であるかのように一体的に視認され、デザインが向上している。なお、色違い部１０ｄとシート付き半板材２１とは、配色上の統一に加えて、またはそれに代えて、材質や表面粗さ等による質感上の統一を図るようにしてもよい。
【００３４】
本実施の形態によれば、側板体２０において、第１の板状部材２３と第２の板状部材２５の全体が、第１シート２４及び第２シート２６によって包まれて密閉状態となるので、側板体２０の外表面全体に亘って防水・気密を図って内部の吸湿を抑制することができる。また、第１シート２４及び第２シート２６の端部は、第１の板状部材２３と第２の板状部材２５との間に折り込まれて外部に露出していないので、端部からの剥がれを抑制して、第１シート２４及び第２シート２６を剥がれにくくすることができる。しかも、基本的に同じ構成のシート付き半板材２１、２２を対向させて貼り合わせるだけの簡単な構成で、気密やシートの剥がれ防止の効果が得られるので、製造が容易である。
【００３５】
また、第１面２３ａ、２５ａに垂直な方向からみた板状部材２３、２５（シート付き半板材２１、２２）の外郭形状が同一であるので、シート付き半板材２１、２２の外郭同士の位置を合わせて対向させれば、シート２４、２６の折り込み部分同士が接着される。従って、簡単な工程で側板体２０を気密状態にしやすく、また、１枚の一体化した側板体２０として構成するのが容易である。
【００３６】
さらに、板状部材２３、２５は同一構成であるので、板状部材の共通化により工程を簡単にして製造を容易にすることができる。
【００３７】
なお、側板体２０の全体を第１シート２４及び第２シート２６によって包むことに限って言えば、第１の板状部材２３と第２の板状部材２５とは、外郭形状や厚みが異なっていてもよい。
【００３８】
なお、第２シート２６の折り返し部２６ａの長さは例示であり、少なくとも第１面２５ａの外縁２５ａａ近傍部分である外縁部の全周が覆われると共に、板状部材２３、２５間の接着強度確保のため第１面２５ａが十分に露出する程度とすればよい。第１シート２４についても同様である。
【図面の簡単な説明】
【００３９】
【図１】本発明の一実施の形態に係る脚体構造が適用される鍵盤楽器の正面図（図（ａ））、背面図（図（ｂ））である。
【図２】１つの側板体の製造工程を模式的に示す斜視図である。
【符号の説明】
【００４０】
１０  鍵盤楽器本体、  ２０Ｌ、２０Ｒ  側板体、  ２３  第１の板状部材、  ２３ａ  第１面、  ２３ｂ  第２面、  ２３ｃ  外側部、  ２４  第１シート、  ２５  第２の板状部材、  ２５ａ  第１面、  ２５ｂ  第２面、  ２５ｃ  外側部、  ２６  第２シート
【図１】
2010060983.tif 000003
【図２】
2010060983.tif 000004